(57)【要約】      （修正有）【課題】位置を水平調整可能な液晶注入機ジグを提供する。【解決手段】主にジグは係合ボックス台、液晶注入台、液晶シャーレにより構成する。該係合ボックス台は液晶注入を待つガラスパネルを設置し、該係合ボックス台は調整板、複数の係合ボックス組を包含する。該係合ボックス組は上下２個のパネル分割棒と定位板により構成され、該パネル分割棒上にはガラスパネルを挟持可能な複数の分割槽を具える。該上パネル分割棒の両方の短い側はそれぞれ該定位板により挟持固設され、該下パネル分割棒の両方の短い側はそれぞれが調整板により挟持固設される。該調整板上には移動槽を具え、該移動槽上には左右水平移動が可能な固定部品を穿設し、該数個の係合ボックス組を該係合ボックス台上において設定位置に移動後、該固定部品を利用し該調整板上において固定する。【選択図】図２
0003118712.tif 000002
【実用新案登録請求の範囲】
【請求項１】
主にジグは係合ボックス台、液晶注入台、液晶シャーレにより構成し、
該液晶注入台は該係合ボックス台の下方に位置し、該液晶注入台上の該係合ボックス台に対応する位置には液晶シャーレを設置し、液晶は該液晶シャーレより該係合ボックス台上に挟持されるガラスパネル内に注入され、
該係合ボックス台は調整板、複数の係合ボックス組を包含し、
該調整板上には移動槽を具え、該移動槽上には左右移動が可能な固定部品を穿設し、
該複数の係合ボックス組の各１個の係合ボックス組はパネル分割棒と定位板により構成され、該定位板は単独で取外し可能で、該パネル分割棒上にはガラスパネルを挟持可能な分割槽を具え、該パネル分割棒の両方の短い側はそれぞれ該定位板により挟持固設され、該係合ボックス組は該係合ボックス台上において設定位置に調整後、該調整板上の固定部品と固定することを特徴とする位置を水平調整可能な液晶注入機ジグ。
【請求項２】
請求項１記載の位置を水平調整可能な液晶注入機ジグにおいて、前記係合ボックス組は上下２本のパネル分割棒を具え、上パネル分割棒は該定位板上に設置され、下パネル分割棒の両端の短い方の面は該調整板上に直接固定されることを特徴とする、位置を水平調整可能な液晶注入機ジグ。
【請求項３】
請求項２記載の位置を水平調整可能な液晶注入機ジグにおいて、前記定位板は主に上板体、下板体、及び該上板体と該下板体に接続する連接部により構成し、該下板体の側面には設置空間を形成し、該下パネル分割棒の両端の短い方の面は該設置空間中に位置することを特徴とする、位置を水平調整可能な液晶注入機ジグ。
【考案の詳細な説明】
【技術分野】
【０００１】
本考案は一種の位置を水平調整可能な液晶注入機ジグに関する。特に一種のガラスパネルに液晶を注入し液晶ディスプレーパネルを形成する位置を水平調整可能な液晶注入機ジグに係る。
【背景技術】
【０００２】
液晶ディスプレーは最も急速に発展しているフラットディスプレーの一つである。内、LCDと略称される薄膜式トランジスター液晶ディスプレー(TFT-LCD)は上下２枚のガラスパネルを重ね合わせ形成するもので、１枚のガラスパネルはカラーフィルター(CF)で、もう１枚のガラスパネルはTFTである。２枚のガラスパネルを一緒に重ね合わせ、いわゆる「ガラスパネル」を形成後、間に液晶を注入するが、液晶の注入方法には吸上注入式と滴下注入式の二種がある。
吸上注入式はガラスパネルをジグ内に設置し、注入口を下に向け液晶注入機の真空室内に入れ、注入口を液晶シャーレ中の液晶中に浸し、毛細現象と圧力差を利用し、液晶をガラスパネルの間隙中に注入するものである。
一方、滴下式はガラスパネルを重ね合わせる前にディスペンサーを利用し、適量の液晶をガラスパネル上に滴下させ、CFとTFTガラスパネルを重ね合わせ、続いてTFT上にドライバIC及び印刷回路板を接着し、ガラスパネル全体を成型するものである。
この後、コンピュータメーカーなどに出荷し、各メーカーは必要な電子パーツやケースなどを組立て、液晶ディスプレーを完成させる。
【０００３】
上記のように公知方式では、２枚のガラスパネルを一体に重ね合わせた後、液晶注入機内に送り、液晶注入を行うが、特許文献１のような公知の液晶注入ジグ装置では、該各液晶パネルは液晶注入口を該各液晶パネルの第１側面に具え、該各液晶パネルは第２側面と第３側面を具え、該第２側面と該第３側面は該第１側面に隣接し、該液晶注入ジグ装置は少なくとも液晶パネル係合ボックス台、少なくとも１本の歯車状栓、液晶シャーレを包含する。
【０００４】
【特許文献１】台湾特許公告第594132号明細書
【０００５】
該液晶パネル係合ボックス台は複数の固定側パネルを具え、該液晶パネルの第２側面と該第３側面に対応し配置する。該各固定側パネルは複数の分割第１突出片部を具え、該各液晶パネルを分割する。
該歯車状栓は該液晶パネルの第１側面に対応、配置し、主体と複数の第２突出部を包含する。該第２突出部は該主体の該液晶パネルに向かった第１側面のエリア上に配置し、該第２突出部の２個の隣り合った第２突出部は挿入槽を形成し、それぞれ該液晶パネルを挿入設置する。
該液晶シャーレは該液晶パネル係合ボックス台の下方に配置し、液晶を入れる。
【０００６】
しかし、上記公知の液晶注入ジグの液晶パネル係合ボックス台は単一サイズのガラスパネルに液晶を注入することができるだけであるため、様々なサイズのガラスパネルに液晶を注入する必要がある時には、それぞれの規格の液晶注入ジグを準備し、それぞれのサイズのガラスパネルに対応する必要がある。しかし、これでは製造コストの増大に繋がってしまい、また液晶注入ジグの交換時にも時間を浪費し、生産効率を低下させる主因となっている。
【考案の開示】
【考案が解決しようとする課題】
【０００７】
本考案は上記構造の問題点を解決した位置を水平調整可能な液晶注入機ジグを提供するものである。
それは主に水平調整可能な液晶注入機ジグを提供し、該ジグはガラスパネルを設置する係合ボックス台、液晶注入台、液晶シャーレを包含し、
該係合ボックス台上には複数の係合ボックス組と調整板を設置し、左右の相互に隣り合った係合ボックス組中において液晶を注入するガラスパネルを挟持し、該係合ボックス組は上下パネル分割棒と定位板により構成し、該パネル分割棒上にはガラスパネルを挟持する複数個の分割槽を具え、該上パネル分割棒の両端の短い方の面はそれぞれ該定位板により挟持、固定され、該下パネル分割棒の両端の短い方の面はそれぞれ該調整板により挟持、固定され、該調整板上には移動槽を具え、該移動槽上には左右移動か可能な固定部品を穿設し、こうして数個の係合ボックス組は該係合ボックス台上において設定位置に移動後、該固定部品を用い該調整板上で固定されることを特徴とする位置を水平調整可能な液晶注入機ジグである。
【課題を解決するための手段】
【０００８】
請求項１の考案は、主にジグは係合ボックス台、液晶注入台、液晶シャーレにより構成し、
該液晶注入台は該係合ボックス台の下方に位置し、該液晶注入台上の該係合ボックス台に対応する位置には液晶シャーレを設置し、液晶は該液晶シャーレより該係合ボックス台上に挟持されるガラスパネル内に注入され、
該係合ボックス台は調整板、複数の係合ボックス組を包含し、
該調整板上には移動槽を具え、該移動槽上には左右移動が可能な固定部品を穿設し、
該複数の係合ボックス組の各１個の係合ボックス組はパネル分割棒と定位板により構成され、該定位板は単独で取外し可能で、該パネル分割棒上にはガラスパネルを挟持可能な分割槽を具え、該パネル分割棒の両方の短い側はそれぞれ該定位板により挟持固設され、該係合ボックス組は該係合ボックス台上において設定位置に調整後、該調整板上の固定部品と固定することを特徴とする位置を水平調整可能な液晶注入機ジグとしている。
請求項２の考案は、請求項１記載の位置を水平調整可能な液晶注入機ジグにおいて、前記係合ボックス組は上下２本のパネル分割棒を具え、上パネル分割棒は該定位板上に設置され、下パネル分割棒の両端の短い方の面は該調整板上に直接固定されることを特徴とする、位置を水平調整可能な液晶注入機ジグとしている。
請求項３の考案は、請求項２記載の位置を水平調整可能な液晶注入機ジグにおいて、前記定位板は主に上板体、下板体、及び該上板体と該下板体に接続する連接部により構成し、該下板体の側面には設置空間を形成し、該下パネル分割棒の両端の短い方の面は該設置空間中に位置することを特徴とする、位置を水平調整可能な液晶注入機ジグとしている。
【考案の効果】
【０００９】
本考案の係合ボックス組は調整板上において固定位置を調整可能で、２個の相互に隣り合った係合ボックス組間の距離を変えることができるため、液晶注入機は１セットのジグを使用するだけであらゆるサイズのガラスパネルに対応可能である。すなわち複数セットのジグを用意する必要がなくなるため、全体的なコスト低下が可能で、同時にジグを交換する時間と係合ボックス台を製造するコストを節減することができる。
【考案を実施するための最良の形態】
【００１０】
図１に示すように、液晶注入機を利用し２枚のガラスパネル間に液晶を注入し、液晶ガラスディスプレーパネルを形成するが、液晶注入方法はジグ１００を液晶パネルに設置し、液晶を注入するものである。
該ジグ１００は係合ボックス台１０、液晶注入台２０、液晶シャーレ３０を包含する。
該ジグ１００の液晶注入台２０は該係合ボックス台１０の下方に位置し、該液晶注入台２０上には１本のスライドレール２０１を設置する。該スライドレール２０１上には複数の移動可能で適当な距離に調整可能な定位台２０２を設置し、該２本のスライドレール２０１において相互に対応する２個の定位台２０２間には該液晶シャーレ３０を設置する。これにより、該液晶シャーレ３０は１組のガラスパネルの注入口にちょうど対応し、液晶は該液晶シャーレ３０より該係合ボックス台１０底部の中央部の空間を経由しガラスパネル内に注入される。なお該液晶注入台２０は本考案の特徴ではないため、詳述しない。
【００１１】
次に図１、２に示すように、該係合ボックス台１０上にはフレーム１０１を設置し、該フレーム１０１上には複数の係合ボックス組１と調整板２を設置する。該係合ボックス組１は上下２枚の分割棒１１、１２により構成され、該各分割棒１１、１２の両側面にはそれぞれ複数の分割板１１１、１２１により間隔を開けて形成される分割槽１１２、１２２を設置する。こうして、左右両側の相互に隣り合った該係合ボックス組１の分割槽１１２、１２２上において液晶を注入するガラスパネル(図示なし)を挟持する。該係合ボックス組１の両方の短い側面にはそれぞれ定位板１３を設置し、該定位体１３は主に上板体１３１、下板体１３２、及び該上板体１３１と該下板体１３２に接続する連接部１３３により構成される。該下板体１３２の側面(すなわち、該上板体１３１の下側位置)には設置空間１３４を形成し、これにより下パネル分割棒１２を設置する。
【００１２】
本考案において、該調整板２上には移動槽２２を具え、該移動槽２２上には左右移動が可能な固定部品２３を穿設する。該固定部品２３はネジで、複数の該係合ボックス組１は該固定部品２３を利用し該調整板２上に固定される。
【００１３】
さらに本考案においては該調整板２上には目盛りを刻み(図示なし)、下パネル分割棒１２上には相互に対応する中心対応線を標す(図示なし)。こうして、該下パネル分割棒１２を該調整板２上において固定する時、該下パネル分割棒１２上の中心対応線は該調整板２上の目盛りと正対応し、該下パネル分割棒１２は正確な位置に固定される。
また該定位板１３上には目盛りを刻み(図示なし)、該上パネル分割棒１１上には相互に対応する中心対応線を標す(図示なし)。こうして、該上パネル分割棒１１を該定位板１３上において固定する時、該上パネル分割棒１１上の中心対応線は該定位板１３上の目盛りと正対応し、該上パネル分割棒１１は正確な位置に固定される。
【００１４】
続いて図３に示すように、本考案において該調整板２上にはそれぞれ４個の係合ボックス組１を固定する。組合せ時には、該各１個の係合ボックス組１の上パネル分割棒１１はネジなどの固定部品１３５を利用し、該定位板１３の上板体１３１上に固定する。該下パネル分割棒１２の両側の短い方の側面は該定位板１３が設置する設置空間１３４中に位置し、これにより４個の係合ボックス組１の定位板１３の下板体１３４と下パネル分割棒１２は該調整板２上に密着する。さらに該調整板２の移動槽２２上の固定部品２３を利用し、該定位板１３の下板体１３４と該下パネル分割棒１２を固定し、該４個の係合ボックス組１の両端側面は該相互に対応する２枚の調整板２上に固設される。こうして、該係合ボックス組１は該調整板２により該係合ボックス台１０上に固設される。
【００１５】
本考案において、液晶注入を待つガラスパネルのサイズが異なる時には、該調整板２の移動槽２２上の固定部品２３を緩め、該係合ボックス組１を左右に移動させ、２個の相互に隣り合った係合ボックス組１の位置と距離を調整し、該液晶注入を待つガラスパネルを挿入設置する。これにより、該液晶注入を待つガラスパネルは左右２個の相互に隣り合った係合ボックス組１の分割総１１２、１２２上において挟持される。該係合ボックス台１０上のパネル分割棒１１、１２は異なるサイズのガラスパネルに対応するため距離を調整する時には、該液晶注入台２０の定位台２０２はまた該スライドレール２０１上において距離をスライド調整し、該液晶シャーレ３０は非常に便利かつ迅速に該パネル分割棒１１、１２上のガラスパネルに照準を合わせることができる。
【００１６】
こうして、本考案は１セットのジグ１００を使用するだけで、液晶注入機は異なるサイズのガラスパネルに対応可能となり、多数のジグ１００を準備する必要がなくなる。よって全体的な生産コストは低下し、同時に該ジグ１００を交換するための時間を節約することができ、生産効率を向上させることができる。さらには該係合ボックス台１０を製作するコストをも節減可能である。
【図面の簡単な説明】
【００１７】
【図１】本考案液晶注入機ジグの立体外観図である。
【図２】本考案係合ボックス台の立体分解図である。
【図３】本考案係合ボックス台の立体外観図である。
【符号の説明】
【００１８】
１００  ジグ
１０  係合ボックス台
２０  液晶注入台
２０１  スライドレール
２０２  定位台
３０  液晶シャーレ
１０１  フレーム
１  係合ボックス組
１１  上パネル分割棒
１２  下パネル分割棒
１１１  分割板
１２１  分割板
１１２  分割槽
１２２  分割槽
１３  定位板
１３１  上板体
１３２  下板体
１３３  連接部
１３４  設置空間
１３５  固定部品
２３  固定部品
２  調製板
２２  移動槽
【図１】
0003118712.tif 000003
【図２】
0003118712.tif 000004
【図３】
0003118712.tif 000005